(57)【要約】【課題】配線が簡便にでき、また信号線のインピーダンス不整合の問題を解決できる信号伝送装置を得る。【解決手段】複数の同軸ケーブルを１次元アレイ状に配置した同軸ケーブル群３の一端に、複数のオス型同軸コネクタを２次元アレイ状に配置した同軸コネクタ群１を結合し、他端に複数のオス型同軸コネクタを１次元アレイ状に配置した複数の同軸コネクタ群２を結合して信号伝送装置１０を作成する。この信号伝送装置１０のオス型同軸コネクタ群１，２をバックボード基板２１上に配置したメス型の同軸コネクタ群２８，２７にそれぞれ接続する。【選択図】        図１
2004241197.tif 000002
【特許請求の範囲】
【請求項１】
アレイ状に配置された複数の同軸ケーブルと、
２次元アレイ状に配置され、前記各同軸ケーブルの一端にそれぞれ結合される複数の同軸コネクタを有する第１の同軸コネクタ群と、
１次元アレイ状に配置され、前記各同軸ケーブルの他端にそれぞれ結合される複数の同軸コネクタを有する第２の同軸コネクタ群とを備えた信号伝送装置。
【請求項２】
バックボード基板上に複数のドータボード基板が接続され、各基板間で信号伝送が行われるプリント基板において、
アレイ状に配置された複数の同軸ケーブルと、アレイ状に配置され、前記各同軸ケーブルの端部にそれぞれ結合される複数の同軸コネクタとを備えた信号伝送装置によって、前記各基板間の信号伝送が実現されることを特徴とするプリント基板。
【請求項３】
２次元アレイ状に配置された複数の同軸コネクタが同軸ケーブルの一端にそれぞれ結合され、１次元アレイ状に配置された複数の同軸コネクタが前記同軸ケーブルの他端に結合されることを特徴とする請求項２記載のプリント基板。
【発明の詳細な説明】
【０００１】
【発明の属する技術分野】
この発明は、信号伝送を行う複数の基板の配線に使用される信号伝送装置と、この信号伝送装置を用いて配線したプリント基板とに関するものである。
【０００２】
【従来の技術】
従来の多層プリント基板の配線構造には、信号線間のクロストークノイズ（漏話）を低減するために、信号線導体が完全に接地導体で覆われたストリップライン構造の同軸回路を多層プリント基板上に形成したものがあった。例えば、特許文献１はこの種の多層プリント基板の構造を開示する。
【０００３】
【特許文献１】
特開平９−２８３９３０号公報（第１頁乃至第３頁、第１図）
【０００４】
【発明が解決しようとする課題】
上述のように従来の多層プリント基板の配線構造は、各信号線の周囲に接地導体を同軸状に配置した構造となっており、この同軸状の構造を形成する際には接地導体パターンを形成したフィルム状銅張板とフィルム状接着基材とを積層して製造していた。信号線を介して信号を伝送するためには各信号線路のインピーダンスを所望の値に設定する必要があり、従来の多層プリント基板においては、信号線導体とそれを覆う接地導体との距離を適切な値にする必要があった。しかしながら、接地導体パターンを形成したフィルム状銅張板とフィルム状接着基材は通常１層の厚みが薄いため、信号線導体と接地導体との距離を適切な値にするためは多数の層を作成して積層する必要があった。したがって、この構造を用いてプリント基板を配線するためには多数のフィルム状銅張板とフィルム状接着基材とを作成する必要が生じるという課題があった。また、フィルム１層の厚みは薄いため各信号線路のインピーダンスを一定にすることは困難であり、インピーダンスの不整合が生じやすいという課題があった。
【０００５】
この発明は、上記のような課題を解決するためになされたもので、配線が簡便にでき、また信号線のインピーダンス不整合の問題を解決できる信号伝送装置と、この信号伝送装置によって配線したプリント基板を得ることを目的とする。
【０００６】
【課題を解決するための手段】
この発明に係る信号伝送装置は、アレイ状に配置された複数の同軸ケーブルと、２次元アレイ状に配置され、前記各同軸ケーブルの一端にそれぞれ結合される複数の同軸コネクタを有する第１の同軸コネクタ群と、１次元アレイ状に配置され、前記各同軸ケーブルの他端にそれぞれ結合される複数の同軸コネクタを有する第２の同軸コネクタ群とを備えたものである。
【０００７】
この発明に係るプリント基板は、アレイ状に配置された複数の同軸ケーブルと、アレイ状に配置され、前記各同軸ケーブルの端部にそれぞれ結合される複数の同軸コネクタとを備えた信号伝送装置によって、各基板間の信号伝送が実現されるものである。
【０００８】
【発明の実施の形態】
以下、この発明の様々な実施の形態を説明する。
実施の形態１．
図１はこの発明の実施の形態１による信号伝送装置の斜視図である。図１に示すように、信号伝送装置１０は２次元アレイ状に配置された複数の同軸コネクタからなる同軸コネクタ群（第１の同軸コネクタ群）１、１次元アレイ状に配置された複数の同軸コネクタからなる複数の同軸コネクタ群（第２の同軸コネクタ群）２、１次元アレイ状に配置された複数の同軸ケーブルからなる同軸ケーブル群３を備える。１次元アレイ状の同軸ケーブル群３を構成する各ケーブルは、一端を２次元アレイ状の同軸コネクタ群１を構成する各コネクタに結合され、他端を１次元アレイ状の同軸コネクタ群２を構成する各コネクタに結合されている。
【０００９】
図１の例では、２次元アレイ状の同軸コネクタ群１は縦方向に４つ、横方向に５つの同軸コネクタを備え、１次元アレイ状の同軸コネクタ群２は整列された５つの同軸コネクタを備える。各同軸コネクタは好ましくはオス型である。また、１次元アレイ状の同軸ケーブル群３は５本の同軸ケーブルから構成される。２次元アレイ状の同軸コネクタ群１には、１次元アレイ状の５本の同軸ケーブルから構成される４組の同軸ケーブル群３の一端が結合される。また、１次元アレイ状の４組の同軸コネクタ群２には、前記同軸ケーブル群３の他端がそれぞれ結合される。
【００１０】
図２は、図１の信号伝送装置１０をプリント基板の配線に適用した例を示す図である。図に示すように、プリント基板２０は、バックボード基板２１、ドータボード基板２２，２３ａ，２３ｂ，２３ｃを備える。ドータボード基板２２，２３ａ，２３ｂ，２３ｃはそれぞれコネクタ２４を介してバックボード基板２１に搭載される。このようなプリント基板２０を用いて高速デジタル信号の伝送を行う装置には、例えばＩＰ（Ｉｎｔｅｒｎｅｔ  Ｐｒｏｔｏｃｏｌ）ルータがある。ＩＰルータにおいては、多数の双方向入出力ポート用のドータボード基板と、入力ポートで受信した信号に含まれる配信先に応じて適切な出力ポートへ信号伝送するための高速スイッチ用のドータボード基板とが必要となる。
【００１１】
通常、多数の入出力ポート用のドータボード基板が送受信する信号を１つの高速スイッチ用のドータボード基板によって処理され信号伝送が実行される。図２の例では、ドータボード基板２３ａ，２３ｂ，２３ｃを双方向入出力ポート用のドータボード基板とし、ドータボード基板２２を高速スイッチ用のドータボード基板とする。ドータボード基板２３ａ，２３ｂ，２３ｃには、それぞれ光または電気信号の入出力用のネットワークケーブル２５ａ，２５ｂ，２５ｃがネットワークケーブル用コネクタ２６を介して接続される。
【００１２】
上述のように、１つのスイッチ用のドータボード基板が多数の入出力ポート用のドータボード基板に接続されるため、スイッチ用のドータボード基板には多数の配線が必要となる。そこで、本発明による信号伝送装置１０を用いて各基板間の配線を行う。
【００１３】
入出力ポート用のドータボード基板２３ａ，２３ｂ，２３ｃに、バックボード基板２１を介して同軸コネクタ群２７を接続する。この同軸コネクタ群２７は、好ましくは１次元アレイ状に配置された複数のメス型の同軸コネクタからなる。また、高速スイッチ用のドータボード基板２２にバックボード基板２１を介して同軸コネクタ群２８を接続する。この同軸コネクタ群２８は、好ましくは２次元アレイ状に配置された複数のメス型の同軸コネクタからなる。これらのメス型の同軸コネクタ群２７，２８に、図１に示す信号伝送装置１０を接続する。すなわち、メス型の同軸コネクタ群２８に図１の２次元アレイ状のオス型の同軸コネクタ群１を接続する。また、この同軸コネクタ群１と同軸ケーブル群３を介して結合される複数のオス型の同軸コネクタ群２をそれぞれメス型の同軸コネクタ群２７に接続する。
【００１４】
図３は図２に示すメス型の同軸コネクタ群２８と、同軸ケーブル群３が結合されたオス型の同軸コネクタ群１とを示す図である。また、図４は同軸コネクタ群２８の平面図である。図に示すように、２次元に配置された各同軸ケーブルは、同軸コネクタ群１を介して同軸コネクタ群２８のインタフェース２９に接続される。
【００１５】
以上のように、この実施の形態１によれば、１次元アレイ状の同軸ケーブル群３の一端に２次元アレイ状のオス型の同軸コネクタ群１を結合し、他端に１次元アレイ状のオス型の同軸コネクタ２群を結合した信号伝送装置を、メス型コネクタを配置したバックボード基板２１に接続してドータボード基板間の信号伝送を実現するようにしたので、各信号伝送路でクロストークノイズの発生を防ぐことができる効果が得られる。また、各同軸ケーブルおよび各同軸コネクタをそれぞれ同一のものを使用することによって、インピーダンスの不整合を防ぐことが容易になるという効果が得られる。
【００１６】
さらに、個々の同軸ケーブルを用いて配線するのではなく、あらかじめ設計されたアレイ状の同軸コネクタおよび同軸ケーブルを用いて図１の信号伝送装置１０を作成し、オス型の同軸コネクタ群１，２をそれぞれメス型のコネクタ群２８，２７に接続するだけで基板の配線ができるので、配線作業が簡便になるという効果が得られる。
【００１７】
【発明の効果】
以上のように、この発明によれば、信号伝送装置が、アレイ状に配置された複数の同軸ケーブルと、２次元アレイ状に配置され、前記各同軸ケーブルの一端にそれぞれ結合される複数の同軸コネクタを有する第１の同軸コネクタ群と、１次元アレイ状に配置され、前記各同軸ケーブルの他端にそれぞれ結合される複数の同軸コネクタを有する第２の同軸コネクタ群とを備えるように構成したので、各同軸ケーブルおよび各同軸コネクタをそれぞれ同一のものを使用することによって、信号線のインピーダンスの不整合を防ぐことが容易になるという効果がある。
【００１８】
この発明によれば、プリント基板を、アレイ状に配置された複数の同軸ケーブルと、アレイ状に配置され、前記各同軸ケーブルの端部にそれぞれ結合される複数の同軸コネクタとを備えた信号伝送装置によって、各基板間の信号伝送が実現されるように構成したので、配線作業が簡便になるという効果がある。
【図面の簡単な説明】
【図１】この発明の実施の形態１による信号伝送装置の斜視図である。
【図２】図１の信号伝送装置をプリント基板の配線に適用した例を示す図である。
【図３】図２の２次元メス型コネクタと、同軸ケーブルが結合された２次元オス型コネクタとを示す図である。
【図４】図２の２次元メス型コネクタの平面図である。
【符号の説明】
１  同軸コネクタ群（第１の同軸コネクタ群）、２  同軸コネクタ群（第２の同軸コネクタ群）、３  同軸ケーブル群、１０  信号伝送装置、２０  プリント基板、２１  バックボード基板、２２，２３ａ，２３ｂ，２３ｃ  ドータボード基板、２４  コネクタ、２５ａ，２５ｂ，２５ｃ  ネットワークケーブル、２６ネットワークケーブル用コネクタ、２７，２８  同軸コネクタ群、２９  インタフェース。
【図１】
2004241197.tif 000003
【図２】
2004241197.tif 000004
【図３】
2004241197.tif 000005
【図４】
2004241197.tif 000006